(57)【要約】
【課題】  小型カメラのレンズの外側に交換レンズを容易に、且つ確実に装着できるようにする。
【解決手段】  柔軟性及び粘着性に優れた部材を用いてリング状に形成して、携帯電話機４を含む小型カメラのレンズに対して交換レンズ２を取り付けるための交換レンズ装着用アダプタ１を構成して、上記交換レンズ２を上記小型カメラに対して自由に着脱することができるようにする。
【選択図】  図４
0003101014.tif 000002
【実用新案登録請求の範囲】
【請求項１】
携帯電話機４を含む小型カメラのレンズに対して交換レンズ２を取り付けるための交換レンズ装着用アダプタ１であって、柔軟性及び粘着性に優れた部材を用いてリング状に形成され、上記小型カメラ及び上記交換レンズ２の各々に対して上記粘着性能により着脱自在であることを特徴とする交換レンズ装着用アダプタ。
【請求項２】
上記交換レンズ装着用アダプタ１は、ポリオール、イソシアネート及びシリコン系の可塑剤からなる複合体により構成されていることを特徴とする請求項１に記載の交換レンズ装着用アダプタ。
【請求項３】
上記交換レンズ２には、上記交換レンズ装着用アダプタ１を取り付ける係合凸部２ｄが形成され、その係合凸部２ｄの外径に対してリング状の交換レンズ装着用アダプタ１の内径はやや小径に形成され、交換レンズ装着用アダプタ１を広げるようにして上記係合凸部２ｄに嵌合するようにして交換レンズ装着用アダプタ１を交換レンズ２に、その粘着性能により接着することを特徴とする請求項１又は２記載の交換レンズ装着用アダプタ。
【請求項４】
柔軟性及び粘着性に優れた部材を用いてリング状に形成された交換レンズ装着用アダプタ１を、リング状に形成した硬質の合成樹脂６１の表面側及び裏面側にその粘着性能により接着して配設して構成したことを特徴とする複合型の交換レンズ装着用アダプタ。
【請求項５】
携帯電話機４を含む小型カメラのレンズに対して取り付けて使用される交換レンズ２と、柔軟性及び粘着性に優れた部材を用いてリング状に形成されていて、上記交換レンズ２を上記小型カメラに対してその粘着性能により着脱自在に取り付けるための交換レンズ装着用アダプタ１の組合わせからなることを特徴とする交換レンズセット。
【請求項６】
上記交換レンズ装着用アダプタ１におけるカメラ側に接着する接着面を保護するためのアダプタカバー３を有することを特徴とする請求項５に記載の交換レンズセット。
【考案の詳細な説明】
【技術分野】
【０００１】
本考案は、交換レンズ装着用アダプタ、又は複合型の交換レンズ装着用アダプタ、交換レンズセット、携帯電話機用アクセサリーに係わり、特に、撮影用のカメラ機能を備えた携帯電話機を含む小型カメラに用いて好適なものである。
【背景技術】
【０００２】
近年、携帯電話機は、音声だけでなく文字や画像等のデータも通信できるデータ通信端末として利用されてきている。そのため、例えば、撮像素子によるカメラが搭載され、そのカメラで撮影した画像をデータとして通信することができるようになってきている。
【０００３】
更に、最近では、被写体を単に撮影するだけではなく、特殊な撮影を行なうことができるようにする機能が求められてきている。そのような要求に応えるために、例えば、特許文献１においては、望遠レンズを用いたカメラ機能と広角レンズを用いたカメラ機能の両方を実現可能な携帯電話機が提案されている。
【０００４】
上記特許文献１に記載の携帯電話機は、図９に示すように、第１本体１０１ａと第２本体１０１ｂとをヒンジ機構１０２を介して折り畳み自在に連結している。そして、広角画像を取り込む広角レンズ１１７と、拡大画像を取り込む望遠レンズ１１４と、画像の結像場所に設置される撮像手段１１０とを備えている。
【０００５】
また、上記第１本体１０１ａと上記第２本体１０１ｂとを開くときのヒンジ機構１０２の回動動作に応じて撮像手段１１０を上記第２本体１０１ｂ内で、矢印Ａで示すようにスライドさせるスライド機構１２０を設けている。
【０００６】
このような構成により、折り畳んだ状態で第１本体１０１ａに設けた望遠レンズ１１４を通して、上記第２本体１０１ｂに設けた撮像手段１１０に拡大画像を入力させて撮影する第１の撮影態様と、上記第１本体１０１ａと上記第２本体１０１ｂとを開いたときの上記スライド機構１２０の作用により、上記第２本体１０１ｂに設けた広角レンズ１１７を通した広角画像を上記撮像手段１１０に入力させる第２の撮影態様とを実現している。
【０００７】
したがって、上記特許文献１に記載の携帯電話機によれば、折り畳んだ状態では、１点鎖線１１５で示した位置に固定された撮像手段１１０に、望遠レンズ１１４を通した被写体像を結像させて拡大画像の撮像を行なうことができる。
【０００８】
また、第１本体１０１aと第２本体１０１ｂとを開いた状態では、１点鎖線１１６で示した位置に固定された撮像手段１１０に、広角レンズ１１７を通した被写体像を結像させて広角画像の撮像を行なうことができる利点が得られる。
【０００９】
しかしながら、上記特許文献１に記載の携帯電話機の場合は、以下に示すような問題があった。即ち、携帯電話機内にスライド機構１２０を設けて、上記第１本体１０１a及び第２本体１０１ｂの開閉動作に合わせて撮像手段１１０を移動させるようにしているので、複雑な構成が必要となり、コストが高くなってしまう問題があった。
【００１０】
上記コストに関して、特殊な撮影を実行したいユーザにとっては大きな問題ではないかもしれないが、特殊な撮影を実現する機能を必要としないユーザにとっては、不要な機能のために大きな負担を強いられることになってしまうので、大きな問題があった。
【００１１】
また、カメラ機能を使用する機会と、電話機能を使用する機会とを比較すると、一般に、電話機能を使用する機会の方が圧倒的に多い。しかしながら、電話機能を使用するために上記第１本体１０１aと第２本体１０１ｂとを開く度に上記スライド機構１２０が不要な動作をすることになり、スライド機構１２０の耐久性が電話機自体の耐久性に影響を与えてしまう恐れもあった。
【００１２】
また、機能レンズの種類が２種類、上記の例では望遠レンズ１１４及び広角レンズ１１７の２種類に限定されてしまう問題もあった。
【００１３】
このような不都合なく、携帯電話機に設置されたカメラで種々の特殊撮影を可能にする手段として、図１０に示すように、携帯電話機２００に配設されているレンズの周面部分に、両面テープ（図示せず）を介して磁性リング２０１を取り付けるようにしている。そして、上記磁性リング２０１に対して磁気吸着するための磁石２０３が取り付けられている機能レンズ２０２を磁気吸着させるようにしている。
【００１４】
図１０に示したように、機能レンズ２０２を携帯電話機２００に後付けで取り付けるようにした場合には、任意の機能レンズ２０２を自由に取り付けることができる。また、特殊撮影を実行したユーザのみが自己負担において取り付けるようにすればよいので、特殊撮影に興味のないユーザに無駄なコストを強制する不都合を無くすことができる。さらに、携帯電話機２００の本来の機能には影響を与えないので、上述したようにカメラ機能の寿命により携帯電話機の寿命が影響されてしまうような不都合を無くすことができる。
【００１５】
【特許文献１】特開平２００３-２５９１６６号公報
【考案の開示】
【考案が解決しようとする課題】
【００１６】
しかしながら、上記図１０に示した従来例の場合には、携帯電話機２００に対して機能レンズ２０２を磁気吸着させていたので、以下のような不都合があった。即ち、上記磁性リング２０１を取り付ける携帯電話機２００の表面は平坦ではなく、微妙に湾曲している。
【００１７】
このため、上記磁性リング２０１をカメラの撮像光軸に対して直角に取り付けるのは困難であり、殆どの場合が直角方向からずれた方向に取り付けられてしまう。したがって、撮像光軸に対してずれた方向に取り付けられている磁性リング２０１に機能レンズ２０２を取り付ける結果、上記機能レンズ２０２の中心を撮像光軸に合わせて取り付けるのは困難であった。
【００１８】
このような不都合を防止するために、上記磁性リング２０１の取り付け面を携帯電話機２００の種類毎に合わせた形状に形成するようにすればよいが、そのようにすると汎用性が失われてしまう問題があった。また、磁性リング２０１を携帯電話機２００の面上に取り付けておくと、電磁波に対して悪影響を与えてしまう恐れがあった。
本考案は上述の問題点にかんがみ、小型カメラのレンズの外側に交換レンズを容易に、且つ確実に装着できるように、而も何回も着脱して使用でき、加えて仮に汚れた場合、水で洗うだけで済み、且つ軽量小型な交換レンズ装着アダプタを提供することを目的とする。
【課題を解決するための手段】
【００１９】
本考案の交換レンズ装着用アダプタは、携帯電話機４を含む小型カメラのレンズに対して交換レンズ２を取り付けるための交換レンズ装着用アダプタ１であって、柔軟性及び粘着性に優れた部材を用いてリング状に形成され、上記小型カメラ及び上記交換レンズ２各々に対して上記粘着性能により着脱自在であることを特徴としている。
また、本考案の交換レンズ装着用アダプタの他の特徴とするところは、上記交換レンズ装着用アダプタ１は、ポリオール、イソシアネート及びシリコン系の可塑剤からなる複合体により構成されていることを特徴としている。また上記交換レンズ２には、上記交換レンズ装着用アダプタ１を取り付ける係合凸部２ｄが形成され、その係合凸部２ｄの外径に対してリング状の交換レンズ装着用アダプタ１の内径はやや小径に形成され、交換レンズ装着用アダプタ１を広げるようにして上記係合凸部２ｄに嵌合するようにして交換レンズ装着用アダプタ１を交換レンズ２に、その粘着性能により接着する交換レンズ装着用アダプタである。
【００２０】
本考案の複合型の交換レンズ装着用アダプタは、柔軟性及び粘着性に優れた部材を用いてリング状に形成された交換レンズ装着用アダプタ１を、リング状に形成した硬質の合成樹脂６１の表面側及び裏面側にその粘着性能により接着して配設して構成したことを特徴としている。
【００２１】
本考案の交換レンズセットは、携帯電話機４を含む小型カメラのレンズに対して取り付けて使用される交換レンズ２と、柔軟性及び粘着性に優れた部材を用いてリング状に形成されていて、上記交換レンズ２を上記小型カメラに対して着脱自在に取り付けるための交換レンズ装着用アダプタ１の組合わせからなることを特徴としている。
また、本考案の交換レンズセットの他の特徴とするところは、上記交換レンズ装着用アダプタ１におけるカメラ接着面を保護するためのアダプタカバー３を有することを特徴としている。
【考案の効果】
【００２２】
本考案によれば、柔軟性及び粘着性に優れた部材を用いてリング状に形成して、携帯電話機４を含む小型カメラのレンズに対して交換レンズ２を取り付けるための交換レンズ装着用アダプタ１を構成したので、上記交換レンズ２を上記小型カメラに対してその粘着性能により着脱自在とすることができ、小型カメラのレンズの外側に交換レンズを容易に、且つ確実に着脱することができる。而も何回も着脱して使用でき、加えて仮に汚れた場合、水で洗うだけで済み、且つ軽量小型な交換レンズ装着アダプタを提供できる。
【考案を実施するための最良の形態】
【００２３】
以下、図面を参照しながら本考案の交換レンズ装着用アダプタ、複合型の交換レンズ装着用アダプタ、交換レンズセット、携帯電話機用アクセサリーの実施の形態について説明する。
図１は、本考案の交換レンズ装着用アダプタ１の一例を示す正面図、図２は同じく平面図である。
図１に示したように、本実施の形態の交換レンズ装着用アダプタ１は、所定の大きさのリング状に形成されている。上記リングの大きさは、上記交換レンズ装着用アダプタ１を取り付ける交換レンズの大きさによって定まるものであるが、図３に示すような、交換レンズ装着用アダプタ１を取り付ける係合凸部２ｄが外径１２ｍｍの交換レンズ２の場合は、上記交換レンズ装着用アダプタ１の内径を１１ｍｍ、外径を１７ｍｍ程度にしている。つまり係合凸部２ｄより、その内径をやや小さくしてある。
【００２４】
上述のような形状に形成される本実施の形態の交換レンズ装着用アダプタ１における最大の特徴は、交換レンズ２を取り付ける面に対する優れた接着性にある。すなわち、本実施の形態においては、上記交換レンズ装着用アダプタ１を構成するための部材として、超軟質エラストマー組成物を使用している。
【００２５】
上記超軟質エラストマー組成物の主な原料は、（イ）ポリオール（例えば、クラレのＰ−１５１０）、（ロ）イソシアネート（硬化剤）、（ハ）シリコン系の可塑剤により構成されている。このような超軟質エラストマー組成物は、例えば「ゲルマック」という名称で商品化されており、本実施の形態においては「ゲルマック  Ｎ−１５」を用いている。
【００２６】
次に、上記超軟質エラストマー組成物の具体的な構成例について説明する。
本実施の形態の超軟質エラストマー組成物は、官能基数２．３〜４．０のポリオキシポリプロピレンポリオールとポリイソシアネート化合物との反応から得られる末端に活性イソシアネート基を有するプレポリマーに、ベーター−メチル−デルタ−バレロラクトンを開環重合して得られるポリオールオリゴマーを架橋剤として反応させたポリウレタン樹脂から構成されたものである。
【００２７】
本実施の形態に用いるポリオキシポリプロピレンポリオールは、官能基数が２．３〜４．０であることが好ましい。これは、官能基数が２．３未満の場合は、未硬化組成物になりやすく、また４．０より大きい場合は、プレポリマーとした時の液粘度が著しく高くなる、もしくはゲル化するために好ましくないからである。
【００２８】
ポリオキシポリプロピレンポリオールとしては、活性水素含有化合物に１，２−プロピレンオキサイドを開環付加重合した平均分子量１，０００〜８，０００、好ましくは２，０００〜５，０００の公知の化合物を用いることができる。
【００２９】
このポリオキシポリプロピレンポリオールは、エラストマー組成物のソフトセグメントを構成するもので、分子量が大きいほど組成物硬度が低くなる。ここで、活性水素含有化合物とは、例えばエチレングリコール，プロピレングリコール，ジエチレングリコール，グリセリン，トリメチロールプロパン，ヘキサントリオール，ペンタエリスリトール等の官能基数２〜４の多価アルコールを用いることができる。また、これらの２種類以上の混合物を使用することも可能である。
【００３０】
本実施の形態に用いるポリイソシアネート化合物は、１分子中に２個乃至それ以上のイソシアネート基を有する有機化合物であって、前期ポリオールの活性水素含有官能基に対する反応性イソシアネート基を有するものが用いられる。ポリイソシアネート化合物の例としては、一般的な芳香族，脂肪族および脂環族の化合物を用いることができる。例えば、トリレンジイソシアネート（ＴＤＩ），ヘキサメチレンジイソシアネート（ＨＤＩ）．ジフェニルメタンジイソシアネート（ＭＤＩ），液状変成ＭＤＩ，キシリレンジイソシアネート，シクロヘキシルジイソシアネート，イソホロンジイソシアネート等があり、とりわけＴＤＩ，ＭＤＩが好ましい。これらポリイソシアネート化合物は単独で用いることができるし、または２種以上を混合して用いることもできる。
【００３１】
更にまた、本実施の形態に用いる末端に活性イソシアネート基を有するプレポリマーは、理論量より少ないポリオキシポリプロピレンポリオールとポリイソシアネート化合物を公知の技術を用いて反応せしめ、末端に活性イソシアネート基残量２〜１５重量％，好ましくは２〜９重量％を有するものがよい。
【００３２】
本実施の形態に用いる架橋剤は、ベーター−メチル−デルタ−バレロラクトンを開環重合して得られるポリオールオリゴマーであることが必須条件である。当該ポリオールオリゴマーは、エチレングリコール，プロピレングリコール等のジオール、或いはそれらにエチレンオキサイド，プロピレンオキサイド等のアルキレンオキサイド付加物、もしくはテトラヒドロフラン等を付加重合させた末端に水酸基を有するジオールを開始剤としてベーター−メチル−デルタ−バレロラクトンを開環付加重合させた化合物であるバレロラクトン系ポリエステルポリオールであり、平均分子量５００〜４，０００、好ましくは７００〜２，５００である。
【００３３】
本実施の形態においては、上記の末端に活性イソシアネート基を有するプレポリマーとバレロラクトン系ポリオールオリゴマー架橋剤の反応比率は特に制限はないが、通常はポリオールの水酸基（ＯＨ）に対するプレポリマーのイソシアネート基（ＮＣＯ）の当量比、即ちＮＣＯ／ＯＨが０．７５〜１．３、好ましくは０．８５〜１．０５である。
【００３４】
ここで、上記プレポリマーと架橋剤との間のウレタン化反応を行なわせるに当たって、適宜のウレタン化触媒を用いることができる。このウレタン化触媒としては、第３級アミン化合物や有機金属化合物等の公知の触媒を用いることが可能である。例えば、トリエチレンジアミン，Ｎ，Ｎ−ジメチルヘキサメチレンジアミン，Ｎ，Ｎ−ジメチルブタンジアミン，オクチル酸鉛，ラウリル酸ジブチル錫等が好適である。
【００３５】
また、本実施の形態による必須成分としてのポリウレタン樹脂は単体として用いることもできるが、以下に示す成分を添加することができる。まず、可塑剤を添加することができる。この可塑剤は、主成分としての上記プレポリマーおよび架橋剤の合計量１００重量部当たり１５重量部未満に限って混合することができる。この可塑剤を添加すると、その添加量が多くなるに応じて得られるエラストマー組成物の硬度は低下する。したがって、この可塑剤の添加によって組成物硬度をある程度制御することが可能になる。
【００３６】
上述の各成分を充分に混合したのち真空脱泡して、常温〜８０℃の金型に流し込み、常温〜１２０℃で１０〜３００分間ウレタン化反応を起こさせる。しかるのちに金型から取り出すことによってウレタン樹脂から構成された軟質エラストマー組成物が得られる。このようにして得られた軟質エラストマー組成物は、Ｈｓ硬度は６０〜３、引張伸び率は４００〜１，３００％の低硬度，変形追従性に優れたエラストマーである。
【００３７】
この軟質エラストマーは、硬度が低く、即ち弾性率が低く、低応力で変形し、変形による残留応力は少なくなり、また伸び率が大きいため変形追従性，変位耐久性に優れた性質を有する。したがって、交換レンズ装着用アダプタ１として用いた場合に、交換レンズ２を携帯電話機に容易に、且つ確実に装着することができる。勿論他の柔軟性、粘着性に富む材料を用いてもよい。
【００３８】
図３に示したように、本実施の形態においては、アダプタカバー３を配設し、使用しないときに上記交換レンズ装着用アダプタ１の接着面に汚れが付着しないように保護するようにした交換レンズセット１０を構成している。
【００３９】
上記交換レンズ２は、複数の光学レンズ２a、２ｂ、２ｃを有し、各レンズの組み合わせにより種々の機能を実現できるようにしている。
本実施の形態の交換レンズ装着用アダプタ１を用いて携帯電話機に装着可能な交換レンズ２の種類としては、（１）ワイドタイプレンズ、（２）スリムタイプレンズ、（３）６面タイプレンズ、（４）３面タイプレンズ、（５）クローズアップタイプレンズ、（６）フィルタカラーセット、（７）反射取り除き用タイプレンズ、（８）ソフト映像タイプレンズ、（９）ピントは中心で外周はソフトタイプレンズ、（１０）横撮りタイプ（９０度）レンズ、（１１）望遠・ワイド兼用タイプレンズ等である。
【００４０】
図４、図５は、本実施の形態の交換レンズ装着用アダプタ１を用いて交換レンズ２を携帯電話機４に装着した例を示している。上述したように、本実施の形態の交換レンズ装着用アダプタ１は柔軟性及び粘着性に優れているので、交換レンズ装着用アダプタ１を携帯電話機４に当接させるだけで、交換レンズ２をしっかりと装着することができる。また、可逆性に優れているので、携帯電話機４の装着面が平坦でなくても交換レンズ２の光軸を所定の方向に確実に装着することができる。なお、本実施の形態の交換レンズ装着用アダプタ１は、上述した携帯電話機４のみならず、超小型デジタルカメラ、使い捨てカメラ等、種々の小型カメラに用いることができる。この実施形態では上記交換レンズ２には、上記交換レンズ装着用アダプタ１を取り付ける係合凸部２ｄが形成され、その係合凸部２ｄの外径に対してリング状の交換レンズ装着用アダプタ１の内径はやや小径に形成され、交換レンズ装着用アダプタ１を広げるようにして上記係合凸部２ｄに嵌合するようにして交換レンズ装着用アダプタ１を交換レンズ２に、その粘着性能により接着する交換レンズ装着用アダプタとしている。
【００４１】
図６は、硬質の合成樹脂６１の表面側及び裏面側に交換レンズ装着用アダプタ１をそれぞれ配設して複合型の交換レンズ装着用アダプタ６０を構成した例を示している。この例の場合は、中央部に硬質の合成樹脂６１を配設したので、全体の形状を保持する機能を上記硬質の合成樹脂６１に行なわせることができる。したがって、上記交換レンズ装着用アダプタ１においては、接着性を重視した材料を用いて形成することが可能となる。また、上記硬質の合成樹脂６１は上記交換レンズ装着用アダプタ１よりも安価にできるので、全体の製造コストを低減することができる。
【００４２】
図７は、本実施の形態の交換レンズセット１０を携帯ストラップ１１に取り付けた例を示す図である。
上記交換レンズセット１０は、図３で説明した交換レンズ装着用アダプタ１、交換レンズ２及びアダプタカバー３により構成されているものであり、このように携帯ストラップ１１に取り付けることにより、紛失を防止できるとともに、交換レンズ２を使いたい時に直ぐに使うことができて便利である。
【００４３】
図８は、本実施の形態の交換レンズ装着用アダプタ１を製造する一例を示している。この例では、図８（a）に示すように、１個の抜き型２０を用いて、図８（b）に示すように材料シート８０から交換レンズ装着用アダプタ１を１個ずつ形成している例であるが、実際には複数個の抜き型２０を一体的に配設して、複数個の交換レンズ装着用アダプタ１を同時に製造するようにしている。
【図面の簡単な説明】
【００４４】
【図１】本考案の実施の形態を示し、交換レンズ装着用アダプタの正面図である。
【図２】交換レンズ装着用アダプタの平面図である。
【図３】交換レンズ装着用アダプタ、交換レンズ及びアダプタカバーを組み合わせて交換レンズセットを構成した例を示す図である。
【図４】実施の形態の交換レンズ装着用アダプタを用いて交換レンズを携帯電話機に装着した例を示す図である。
【図５】交換レンズ装着用アダプタを交換レンズの係合凸部に嵌合して交換レンズに接着するところを示した断面図である。
【図６】交換レンズ装着用アダプタの変形例を示し、硬質の合成樹脂の表面側及び裏面側に交換レンズ装着用アダプタを配設して複合型の交換レンズ装着用アダプタを構成した例を示す断面図である。
【図７】交換レンズセットを携帯ストラップに取り付けた例を示す図である。
【図８】交換レンズ装着用アダプタの製造例を示す図である。
【図９】第１の従来例を示し、携帯電話機に複数の機能レンズを配設した例を示す図である。
【図１０】携帯電話機のレンズ部分に機能レンズを取り付ける例を示す図である。
【符号の説明】
【００４５】
１  交換レンズ装着用アダプタ
２  交換レンズ
２ａ  光学レンズ
２ｂ  光学レンズ
２ｃ  光学レンズ
２ｄ  係合凸部
３  アダプタカバー
４  携帯電話機
１０  交換レンズセット
１１  携帯ストラップ
６０  複合型の交換レンズ装着用アダプタ
６１  硬質の合成樹脂
【図１】
0003101014.tif 000003
【図２】
0003101014.tif 000004
【図３】
0003101014.tif 000005
【図４】
0003101014.tif 000006
【図５】
0003101014.tif 000007
【図６】
0003101014.tif 000008
【図７】
0003101014.tif 000009
【図８】
0003101014.tif 000010
【図９】
0003101014.tif 000011
【図１０】
0003101014.tif 000012